(57)【要約】【課題】帳票の項目への記入状況をオペレータがチェックする際、項目の見落しをなくすこと。【解決手段】項目を含む帳票イメージ２及び確認する項目名欄３を表示する表示手段２１と、表示手段２１に対して座標入力を行うカーソル４やマウスからなる座標入力手段２２と、表示手段２１により表示された帳票イメージ２に対し座標入力手段２２が項目を座標入力したときは、項目への記入が確認されたとして、表示された項目名を強調表示する制御部２０を有する。【選択図】    図1
2014006847.tif 000002
【特許請求の範囲】
【請求項１】
帳票の項目への記入状況を確認する帳票確認システムにおいて、
前記項目を含む帳票のイメージ及び確認する項目名を表示する表示手段と、
前記表示手段に対して座標入力を行う座標入力手段と、
前記表示手段により表示された前記帳票イメージに対し前記座標入力手段が前記項目を座標入力したときは、前記項目への記入が確認されたとして、表示された前記項目名を強調表示する制御部を有することを特徴とする帳票確認システム。
【請求項２】
前記帳票の前記項目は複数あり、
前記表示手段は、前記帳票のイメージの前記複数の項目を表示領域に区切って表示し、
前記制御部は、前記表示領域毎に、前記座標入力手段が前記項目を座標入力したときは、表示された前記項目名を強調表示することを特徴とする請求項１記載の帳票確認システム。
【請求項３】
帳票の項目への記入状況を確認する帳票確認システムにおいて、
前記項目を含む帳票のイメージを表示する表示手段と、
前記表示手段に対して座標入力を行う座標入力手段と、
表示された前記帳票の前記項目に対して前記座標入力手段が座標入力したときは、前記項目への記入が確認されたとして、表示された前記帳票の前記項目を強調表示する制御部を有することを特徴とする帳票確認システム。
【請求項４】
前記強調表示とは、色彩を変更させることを特徴とする請求項１乃至３いずれか一記載の帳票確認システム。
【請求項５】
前記強調表示とは、通常表示を反転表示にすることを特徴とする請求項１乃至３いずれか一記載の帳票確認システム。
【請求項６】
前記座標入力手段とは、カーソルとマウスであることを特徴とする請求項１乃至５いずれか一記載の帳票確認システム。
【請求項７】
前記座標入力手段とは、タッチパネル式入力手段であることを特徴とする請求項１乃至５いずれか一記載の帳票確認システム。
【請求項８】
前記制御部は、前記帳票について前記項目への記入が確認されていないときは、前記表示手段にエラーメッセージを表示することを特徴とする請求項１乃至７いずれか一記載の帳票確認システム。
【請求項９】
帳票の項目への記入状況を確認する帳票確認方法において、
前記項目を含む帳票のイメージ及び確認する項目名を表示装置に表示するイメージ項目名表示工程と、
前記表示装置に表示された前記帳票の前記項目に対して座標入力を行う座標入力工程と、
前記座標入力工程により前記項目を座標入力したときは、前記項目への記入が確認されたとして、表示された前記項目名を強調表示する強調表示工程とを含むことを特徴とする帳票確認方法。
【請求項１０】
前記帳票の前記項目は複数あり、
前記イメージ項目名表示工程は、前記複数の項目を複数の表示領域に区切って表示し、
前記強調表示工程は、前記表示領域毎に、前記座標入力手段が前記項目を座標入力したときは、表示された前記項目名を強調表示することを特徴とする請求項９記載の帳票確認方法。
【請求項１１】
帳票の項目への記入状況を確認する帳票確認方法において、
前記項目を含む帳票のイメージを表示装置に表示するイメージ項目名表示工程と、
前記表示装置に表示された前記帳票の前記項目に対して座標入力を行う座標入力工程と、
前記座標入力工程により前記項目を座標入力したときは、前記項目への記入が確認されたとして、表示された前記帳票の前記項目を強調表示する強調表示工程を含むことを特徴とする帳票確認方法。
【発明の詳細な説明】
【技術分野】
【０００１】
本発明は、帳票の項目への記入状況をチェックする帳票確認システムに関する。
【背景技術】
【０００２】
従来、保険業務における保険帳票については、これをイメージに取り込んで画像上でチェックを行っていた。即ち、スキャナで読み込んだ帳票イメージをクライアントＰＣで表示させ、オペレータがチェックすることで、保険加入、保険金支払いの可否などを判定する。そして、帳票への記入に不備があれば差し戻しを行っている。
【０００３】
ここで特開平１０−１２４１３６号公報（特許文献１）には、運転要領書を画面に表示して原子力発電プラントの運転支援を行う技術において、表示された運転要領書に対してその通りに処置がなされているか否かをチェックできる発明が記載されている。
【０００４】
また、特開平８−２０２７１２号公報（特許文献２）には、文章の校正において、校正すべき複数の項目が検出された校正必要箇所をユーザに的確に知らせるため色を変えて表示する発明が記載されている。
【０００５】
更に、特開２０００−４８０４８号公報（特許文献３）には、外出時のガスの元栓等のチェック項目を表示する装置において、チェック項目の表示と、チェック項目を実際にチェックしたとき確認した旨を表示する技術が記載されている。
【先行技術文献】
【特許文献】
【０００６】
【特許文献１】特開平１０−１２４１３６号公報
【特許文献２】特開平８−２０２７１２号公報
【特許文献３】特開２０００−４８０４８号公報
【発明の概要】
【発明が解決しようとする課題】
【０００７】
しかしながら、従来の技術によれば、スキャナで取り込んだイメージをクライアントＰＣからオペレータがチェックする際、チェックすべき項目を見落としてしまうおそれがあった。
【０００８】
本発明が解決しようとする課題は、帳票の項目への記入状況をチェックする帳票確認システムにおいて、オペレータがチェックすべき項目を見落とすことのない帳票確認システムを提供するものである。
【課題を解決するための手段】
【０００９】
上記課題を解決するために本発明は、記入済み帳票の項目への記入を確認する帳票確認システムにおいて、前記項目を含む帳票のイメージ及び確認する項目名を表示する表示手段と、前記表示手段に対して座標入力を行う座標入力手段と、前記表示手段により表示された前記帳票イメージに対し前記座標入力手段が前記項目を座標入力したときは、前記項目への記入が確認されたとして、表示された前記項目名を強調表示する制御部を有することを特徴とするものである。
【発明の効果】
【００１０】
上記構成を有する本発明によれば、記入済み帳票の項目への記入をチェック、即ち確認する帳票確認システムにおいて、表示手段にチェックする項目名を表示するようにし、オペレータによるチェック毎に、項目への記入が確認されたとして、強調表示としての色彩を変更するようにしたので、オペレータがチェックすべき項目を見落とすことのない帳票確認システムを提供することが可能になる。
【図面の簡単な説明】
【００１１】
【図１】第１の実施の形態に関する帳票イメージ２とチェック項目欄３の表示を示す説明図である。
【図２】第１の実施の形態に関する帳票確認システム１０の構成図である。
【図３】第１の実施の形態に関するクライアントＰＣ１７の機能ブロック図である。
【図４】第１の実施の形態に関する帳票ＩＤ表３１を示す説明図である。
【図５】第１の実施の形態に関する項目表３４を示す説明図である。
【図６】第１の実施の形態に関する帳票イメージ格納テーブル３９を示す説明図である。
【図７】第１の実施の形態に関するクライアントＰＣ１７の動作を示すフローチャートである。
【図８】第１の実施の形態に関する帳票チェック結果テーブル４３を示す説明図である。
【図９】第１の実施の形態に関するエラーメッセージ４５を示す説明図である。
【図１０】第２の実施の形態に関する帳票イメージ２とチェック項目欄３の表示を示す説明図である。
【図１１】第２の実施の形態に関するクライアントＰＣ１７の動作を示すフローチャートである。
【図１２】第３の実施の形態に関する帳票イメージ２とチェック項目欄３の表示を示す説明図である。
【図１３】第３の実施の形態に関するクライアントＰＣ１７の動作を示すフローチャートである。
【発明を実施するための形態】
【００１２】
（第１の実施の形態）
以下、本発明の第１の実施の形態について説明する。図２は第１の実施の形態に関する帳票確認システム１０の構成図である。帳票確認システム１０はスキャナ１１、スキャンサーバ１２、イメージ登録サーバ１３、イメージ管理サーバ１４、ディスク１５、Ｗｅｂサーバ１６及びクライアントＰＣ１７から構成される。
【００１３】
スキャナ１１は、スキャンサーバ１２に接続されスキャンサーバ１２の制御により記入済み帳票を走査して帳票イメージの電子データを作成する。スキャンサーバ１２はスキャナ１１からの帳票イメージの電子データを受け取り、帳票イメージの電子データ毎に後述するイメージ読取順ＩＤ及び帳票種類ＩＤを付加して、イメージ登録サーバ１３へ送信する。
【００１４】
イメージ登録サーバ１３は、受信した帳票イメージに、イメージ読取順ＩＤ及び帳票種類ＩＤを付加して後述する帳票イメージ格納テーブル３９としてディスク１５へ登録するようイメージ管理サーバ１４へ依頼する。イメージ管理サーバ１４は、イメージ登録サーバ１３、ディスク１５及びＷｅｂサーバ１６に接続され、ディスク１５への読取り書込みを制御する。即ち、イメージ管理サーバ１４は、スキャナ１１が読み取った帳票イメージをイメージ登録サーバ１３を介して受取り、ディスク１５に格納する。また、イメージ管理サーバ１４は、クライアントＰＣ１７からの指示でディスク１５から帳票イメージを読み取り、Ｗｅｂサーバ１６を介してクライアントＰＣ１７へ送信する。更に、クライアントＰＣ１７がチェックしたチェック結果をディスク１５へ格納する。
【００１５】
ディスク１５は、帳票イメージ並びに後述する各種表及び各種テーブルを格納する。Ｗｅｂサーバ１６はイメージ管理サーバ１４及びクライアントＰＣ１７に接続され、クライアントＰＣ１７の画面にＷｅｂ形式で表示するための制御を行う。そして、クライアントＰＣ１７は、オペレータによって操作され、次に説明する帳票イメージ２及びチェック項目欄３を表示することにより、記入済み帳票の項目への記入をチェック（確認）する。
【００１６】
図１は第１の実施の形態に関する帳票イメージ２とチェック項目欄３の表示を示す説明図である。クライアントＰＣ１７の表示画面には、確認画面１が表示される。確認画面１は、帳票イメージ２とチェック項目欄３とからなる。帳票イメージ２はスキャナ１１が読取った記入済み帳票のイメージについて、ディスク１５に格納してあるものを読出して表示する。帳票イメージ２には、記入をチェックすべき項目が含まれる。一方、チェック項目欄３は記入済み帳票のうち、チェックすべき項目名が予め所定の色彩で表示される。チェック項目欄３は図示のように、フリガナ５５、５６及び性別、生年月日、現住所、印等並びに契約プラン５７、支払いタイプ欄等が表示される。帳票イメージ２は複数の記載欄に区別することができる。図示するように保険契約者欄５、被保険契約者欄６及び主契約欄７等である。
【００１７】
オペレータはカーソル４を移動して帳票イメージ２の項目をチェックする。具体的には、オペレータは、帳票イメージ２の現住所欄５１にカーソル４を当て、現住所欄５１に記載がされていることを確認すると、座標入力としての図示しないマウスの左クリックを押下する。すると項目現住所にチェックが行われたとして、チェック項目欄３の現住所５５−１の表示の色彩を変更する。
【００１８】
このようにして、オペレータはチェック項目欄３に表示された全ての項目に対応する帳票イメージ２の項目についてチェックする。全ての項目のチェックが済むとオペレータは「次へ」ボタン８にカーソル４を当て、左クリックを押下する。
【００１９】
図３は第１の実施の形態に関するクライアントＰＣ１７の機能ブロック図である。同図はクライアントＰＣ１７の機能のうち、本実施の形態に関する機能のみ示してある。表示部２１は、制御部２０の指示により、クライアントＰＣ１７の画面に表示する確認画面１即ち帳票イメージ２及びチェック項目欄３について表示する。チェック項目欄３には項目名が予め所定の色彩で表示される。そして、オペレータによるチェック毎に項目への記入が確認されたとして、項目名を強調表示としての色彩を変更して表示する。更に、未チェックの項目があるのにも拘らずオペレータによる「次へ」ボタン８が押下されると、エラーメッセージを表示する。
【００２０】
座標入力部２２は、制御部２０の指示により、クライアントＰＣ１７の表示部２１に対して座標入力された座標を検出する。即ち、図示しないマウスにより、カーソル４を位置付けて、左クリックを押下することにより座標入力を行う。記憶部２３は制御部２０を動作させるためのプログラムを格納し、各種のデータを格納する。入出力部２４は他のサーバとの入出力となる。制御部２０はこれら各部を制御する。なお、表示部２１及び座標入力部２２は別体の構成として説明するが、表示機能と入力機能の両者一体となったタッチパネル式操作表示部であってもよい。
【００２１】
図４は第１の実施の形態に関する帳票ＩＤ表３１を示す説明図である。帳票ＩＤ表３１はディスク１５に格納される。帳票ＩＤ表３１は保険の種類毎に異なるＩＤが付加される。図示の帳票種類ＩＤ欄３２には連続数字が格納され、保険名欄３３には「生命保険契約」「自動車保険契約」及び「火災保険契約」等の保険の種類毎に、保険名が格納される。保険名は契約申込書のみではなく、更新申込書又は保険金支払依頼書等があるが説明は省略する。
【００２２】
図５は第１の実施の形態に関する項目表３４を示す説明図である。この項目表３４もディスク１５に格納される。項目表３４は帳票の種類毎にチェックすべき項目の位置やサイズ等が記憶される。帳票種類ＩＤ欄３２には当該項目表３４に記載される帳票種類ＩＤが記憶される。同図では帳票種類ＩＤが「１」、即ち生命保険契約について記憶されることを示す。チェック項目名称欄３５には、「フリガナ」、「性別」、「生年月日」及び「現住所」等が記憶される。位置（ｘ，ｙ）欄３６は、チェック項目の基準点としての左上における画面上の座標が記憶される。これによりチェック項目の画面上の位置が特定される。サイズ欄３７にはチェック項目の座標上のサイズが記憶される。これにより項目の画面上の大きさが特定される。位置（ｘ，ｙ）欄３６とサイズ欄３７により、前記座標入力部２２が座標入力された座標を検出すると、どの項目について座標入力されたか判定することができる。項目チェック番号欄３８はチェック項目欄３に表示されるチェック項目に付加された番号が記憶される。項目チェック番号欄３８は、連続数字であるが、必ずしもオペレータがチェックする順番を意味するものではない。
【００２３】
次に、帳票確認システム１０の動作について説明する。まず、スキャンサーバ１２はスキャナ１１からの帳票イメージを受信すると、イメージ登録サーバ１３へ送信する。イメージ登録サーバ１３は、これをディスク１５の帳票イメージ格納テーブル３９に格納する。図６は第１の実施の形態に関する帳票イメージ格納テーブル３９を示す説明図である。帳票イメージ格納テーブル３９のイメージ読取順ＩＤ欄４０には、帳票イメージを読取った順にＩＤ番号が付加される。その読み取った帳票がどのような保険名であるかは、帳票種類ＩＤ欄３２に記憶される。例えば、帳票種類ＩＤ欄３２の「１」の帳票は図４に示すように生命保険契約である。
【００２４】
そして、イメージ格納番号欄４１に、実際のイメージが記憶されたディスク１５の格納位置が直接又は間接に表示される。更に、チェック状況（済／未済）欄４２にはチェックが済めば「済（ＯＫ）」又は「済（エラー）」が記憶され、チェックが済んでいなければ「未」が記憶される。同図ではイメージ読取順ＩＤ欄４０の「１」の帳票がチェック済となっていることを示す。これからイメージ読取順ＩＤ欄４０の「２」以降の帳票イメージ２をチェックするものとする。オペレータはクライアントＰＣ１７を操作し、手動により又は自動的に次の帳票であるイメージ読取順ＩＤ「２」の帳票を指定するものとする。
【００２５】
図７は第１の実施の形態に関するクライアントＰＣ１７の動作を示すフローチャートである。
Ｓ１０１：クライアントＰＣ１７の制御部２０は、イメージ管理サーバ１４に対し、ディスク１５の帳票イメージ格納テーブル３９からイメージ読取順ＩＤ「２」のイメージ格納番号「ＣＤ−００２−００２」を読み出すよう指示する。このイメージ読取順ＩＤ「２」の帳票は、帳票種類ＩＤが「１」である。そこで制御部２０は、イメージ管理サーバ１４に対し、ディスク１５の項目表３４を読み出すよう指示する。そして、記憶部２３に対し一旦これを記憶するよう指示する。制御部２０は記憶部２３に対し項目表３４からチェック項目名称欄３５のチェック項目を読み出すよう指示する。そして制御部２０は、表示部２１に対し、イメージ読取順ＩＤ「２」のイメージ格納番号「ＣＤ−００２−００２」及びチェック項目「フリガナ」「性別」「生年月日」等を表示するよう指示する。チェック項目は予め所定の色彩で表示される。
【００２６】
Ｓ１０２：クライアントＰＣ１７の制御部２０は、座標入力部２２に対し、オペレータが座標入力した座標を検知するよう指示する。
Ｓ１０３：制御部２０は、検知した入力座標を項目表３４の位置欄３６及びサイズ欄３７と比較し、該当するチェック項目名を判定する。
【００２７】
Ｓ１０４：制御部２０は、表示部２１に対し、チェック項目の中から項目チェック番号欄３８の「１」の「フリガナ」の表示について、チェック結果が「ＯＫ」なので、項目への記入が確認されたとして、強調表示としての色彩を変更するよう指示する。制御部２０は、記憶部２３に対し、チェック結果を帳票チェック結果テーブル４３へ格納するよう指示する。図８は第１の実施の形態に関する帳票チェック結果テーブル４３を示す説明図である。帳票チェック結果テーブル４３は記憶部２３に記憶され、クライアントＰＣ１７がチェックする帳票毎に作成されている。帳票チェック結果テーブル４３は、イメージ読取順ＩＤ欄４０と、項目チェック番号欄３８と、チェック結果（ＯＫ／ＮＧ／未）欄４４からなる。同図において、イメージ読取順ＩＤが「２」であるので、前記帳票イメージ格納テーブル３９から帳票種類ＩＤが「１」であり、この帳票は生命保険契約に関する帳票であることが分かる。次に、項目チェック番号欄３８の「１」のチェック結果欄４４が「ＯＫ」であることから、フリガナは記入されていることが分かる。クライアントＰＣ１７の画面のチェック項目欄３の「フリガナ」の表示は項目への記入が確認されたとして、強調表示としての色彩の変更が行われる。次の項目チェック番号欄３８の「２」のチェック結果欄４４が「ＮＧ」であることから性別は記入されていなかったことが分かる。これはオペレータがカーソル４を帳票イメージ２の「性別」項目にカーソル４を合わせ、その後、図示しないキーボードより「ＮＧ」を入力したためこのように記憶された。
【００２８】
Ｓ１０５：制御部２０は、帳票チェック結果テーブル４３のチェック結果欄４４に「未」の項目があるかどうか判定する。あればステップ１０８へ移行し、なければ次へ進む。
Ｓ１０６：制御部２０は、座標入力部２２に対し、「次へ」ボタン８が押下されたかどうか監視するよう指示する。
【００２９】
Ｓ１０７：「次へ」ボタン８が押下された場合、制御部２０は図示しない次の処理へ移行する。
Ｓ１０８：ステップ１０５において、帳票チェック結果テーブル４３のチェック結果欄４４に「未」の項目がある場合、制御部２０は、座標入力部２２に対し、「次へ」ボタン８が押下されたかどうか判定するよう指示する。なければステップ１０２へ戻る。
Ｓ１０９：「未」の項目があるのにも拘らず「次へ」ボタン８が押下されたということであるので、制御部２０は、表示部２１に対し、エラーメッセージを表示するよう指示する。
【００３０】
図９は第１の実施の形態に関するエラーメッセージ４５を示す説明図である。エラーメッセージ４５として「以下の項目がチェックされておりません」が表示され、未チェック項目４６である「生年月日」、「現住所」及び「印」が表示される。そして、「閉じる」ボタン４７が表示される。オペレータが「閉じる」ボタン４７を押下すると元の画面に戻り、ステップ１０２に戻る。
【００３１】
なお、本実施の形態において、オペレータによるチェック結果が「ＯＫ」のときは、項目名の強調表示として色彩を変更することを説明したが、これに限らない。即ち、項目名の通常表示をいわゆる反転表示にすることであっても、本実施の形態の目的を達成することができる。
【００３２】
以上、第１の実施の形態によれば、記入済み帳票の項目への記入をチェック、即ち確認する帳票確認システムにおいて、表示手段にチェックする項目名を表示するようにし、オペレータによるチェック毎にチェック結果が「ＯＫ」のときは、強調表示としての色彩を変更するようにしたので、オペレータがチェックすべき項目を見落とすことのない帳票確認システムを提供することが可能になる。
【００３３】
（第２の実施の形態）
次に第２の実施の形態について説明する。第２の実施の形態は、帳票イメージ２に表示された複数の項目に対して表示領域に区切って表示し、表示領域毎に前記第１の実施の形態で説明したチェックを行うものである。第２の実施の形態に関する構成は前記第１の実施の形態に関する構成と同じであるので説明を省略する。
【００３４】
図１０は第２の実施の形態に関する帳票イメージ２とチェック項目欄３の表示を示す説明図である。クライアントＰＣ１７の表示画面に表示される確認画面１並びに帳票イメージ２及びチェック項目欄３については第１の実施の形態と同じである。帳票イメージ２の複数の項目は複数の表示領域としての記載欄に区切って表示される。即ち保険契約者表示領域６５、被保険契約者表示領域６６及び主契約表示領域６７等である。これに対応してチェック項目欄３には保険契約者表示領域７５、被保険契約者表示領域７６及び主契約表示領域７７等が設けられる。
【００３５】
ここで、保険契約者表示領域６５のチェックは完了したものとする。そうすると、保険契約者表示領域６５に相当するチェック項目欄３の保険契約者表示領域７５のチェック項目であるフリガナ５５及び性別、生年月日、現住所、印は、チェック結果が「ＯＫ」であるので、強調表示としての色彩の変更が行われている。
【００３６】
オペレータはカーソル４を移動して帳票イメージ２の被保険契約者表示領域６６の項目をチェックする。具体的には、オペレータは、帳票イメージ２の被保険契約者表示領域６６の現住所欄６１にカーソル４を当て、現住所欄６１に記載がされていることを確認すると、座標入力としての図示しないマウスの左クリックを押下する。すると項目現住所にチェックが行われたとして、チェック項目欄３の現住所の表示の色彩を変更する。なお、主契約表示領域６７にはまだカーソル４が移動していないので、チェック項目欄３の主契約表示領域７７には項目は表示されない。
【００３７】
このようにして、オペレータはチェック項目欄３に表示された全ての項目に対応する帳票イメージ２の項目についてチェックする。全ての項目のチェックが済むとオペレータはカーソル４を主契約表示領域６７へ移動し、全ての項目についてチェックする。全ての表示領域について全ての項目のチェックが済むと、オペレータは「次へ」ボタン８にカーソル４を当て、座標入力としての図示しないマウスの左クリックを押下する。そのとき、全ての項目についてチェックが済んでいないにも拘らず「次へ」ボタン８が押下されると、第１の実施の形態と同様にエラーメッセージが表示される。
【００３８】
図１１は第２の実施の形態に関するクライアントＰＣ１７の動作を示すフローチャートである。
Ｓ２０１：クライアントＰＣ１７の制御部２０は、イメージ管理サーバ１４に対し、ディスク１５の帳票イメージ格納テーブル３９からイメージ読取順ＩＤ「２」のイメージ格納番号欄４１の「ＣＤ−００２−００２」を読み出すよう指示する。このイメージ読取順ＩＤ「２」の帳票は、帳票種類ＩＤ欄３２が「１」である。
【００３９】
そこで制御部２０は、イメージ管理サーバ１４に対し、ディスク１５の項目表３４を読み出すよう指示する。そして、記憶部２３に対し一旦これを記憶するよう指示する。制御部２０は記憶部２３に対し項目表３４からチェック項目名称欄３５のチェック項目を読み出すよう指示する。そして制御部２０は、表示部２１に対し、イメージ読取順ＩＤ「２」のイメージ格納番号「ＣＤ−００２−００２」を表示するよう指示する。
【００４０】
Ｓ２０２：クライアントＰＣ１７の制御部２０は、座標入力部２２に対し、オペレータが座標入力した座標を検知するよう指示する。
Ｓ２０３：制御部２０は、検知した入力座標を項目表３４の位置欄３６及びサイズ欄３７と比較し、該当する表示領域を判定する。図１０に図示する例では、被保険契約者表示領域６６であることを判定する。
【００４１】
Ｓ２０４：制御部２０は表示部２１に対し、判定した表示領域に相当するチェック項目をチェック項目欄３に表示するよう指示する。具体的には、被保険契約者表示領域７６にチェック項目「フリガナ」５６及び「性別」「生年月日」等を表示する。チェック項目は予め所定の色彩で表示される。
Ｓ２０５：制御部２０は、検知した入力座標を項目表３４の位置欄３６及びサイズ欄３７と比較し、該当するチェック項目名を判定する。
【００４２】
Ｓ２０６：制御部２０は、表示部２１に対し、チェック項目の中から項目チェック番号欄３８の「４」の現住所５６−１の表示について、チェック結果が「ＯＫ」なので、項目への記入が確認されたとして、強調表示としての色彩を変更するよう指示する。制御部２０は、記憶部２３に対し、チェック結果を帳票チェック結果テーブル４３へ格納するよう指示する。
【００４３】
Ｓ２０７：制御部２０は、帳票チェック結果テーブル４３のチェック結果欄４４に「未」の項目があるかどうか判定する。あればステップ２１０へ移行し、なければ次へ進む。
Ｓ２０８：制御部２０は、座標入力部２２に対し、「次へ」ボタン８が押下されたかどうか監視するよう指示する。
Ｓ２０９：「次へ」ボタン８が押下された場合、制御部２０は図示しない次の処理へ移行する。
【００４４】
Ｓ２１０：ステップ２０７において、帳票チェック結果テーブル４３のチェック結果欄４４に「未」の項目がある場合、制御部２０は、座標入力部２２に対し、「次へ」ボタン８が押下されたかどうか判定するよう指示する。なければステップ２０２へ戻る。
Ｓ２１１：「未」の項目があるのにも拘らず「次へ」ボタン８が押下されたということであるので、制御部２０は、表示部２１に対し、エラーメッセージを表示するよう指示する。
【００４５】
以上、第２の実施の形態によれば、複数のチェック項目がある帳票イメージ２の場合であっても、複数の項目を表示領域に区切って表示し、表示領域毎にチェックするようにしたので、オペレータの負担軽減に寄与する帳票確認システムを提供することができる。
【００４６】
（第３の実施の形態）
次に第３の実施の形態について説明する。第１の実施の形態が確認画面１にチェック項目欄３を設けて、オペレータがチェックした項目名の表示について、強調表示としての色彩を変更するものであるが、第３の実施の形態は、確認画面１に前記チェック項目欄３を設けず、帳票イメージ２に表示した帳票の項目に対し、オペレータがチェックしたときに強調表示としての色彩を変更するものである。第３の実施の形態に関する構成は前記第１の実施の形態に関する構成と同じであるので説明を省略する。
【００４７】
図１２は第３の実施の形態に関する帳票イメージ２とチェック項目欄３の表示を示す説明図である。クライアントＰＣ１７の表示画面に表示される確認画面１は帳票イメージ２のみからなり、帳票イメージ２は第１の実施の形態と同じである。ただし、各項目は強調表示としての色彩の変更が可能である。
【００４８】
ここで、帳票イメージ２の保険契約者欄５のフリガナ、性別、生年月日及び印はチェック「ＯＫ」であったとする。従って、各項目は項目への記入が確認されたとして、強調表示としての色彩の変更８２が行われている。保険契約者欄５の現住所欄８１はまだチェックがされていないものとする。
【００４９】
オペレータはカーソル４を移動して帳票イメージ２の残りの項目をチェックする。具体的には、オペレータは、帳票イメージ２の保険契約者欄５の現住所欄８１にカーソル４を当て、現住所欄８１に記載がされていることを確認すると、座標入力としての図示しないマウスの左クリックを押下する。すると項目現住所にチェックが行われたとして、帳票イメージ２の現住所欄８１の表示の色彩を変更する。なお、被保険契約者欄６及び主契約欄７にはまだカーソル４が移動していないので、帳票イメージ２の項目色彩の変化はない。
【００５０】
このようにして、オペレータは帳票イメージ２に表示された全ての項目についてチェックする。全ての項目のチェックが済むとオペレータは「次へ」ボタン８にカーソル４を当て、座標入力としての図示しないマウスの左クリックを押下する。そのとき、全ての項目についてチェックが済んでいないにも拘らず「次へ」ボタン８が押下されると、第１の実施の形態と同様にエラーメッセージが表示される。
【００５１】
図１３は第３の実施の形態に関するクライアントＰＣ１７の動作を示すフローチャートである。
Ｓ３０１：クライアントＰＣ１７の制御部２０は、イメージ管理サーバ１４に対し、ディスク１５の帳票イメージ格納テーブル３９からイメージ読取順ＩＤ「２」のイメージ格納番号「ＣＤ−００２−００２」を読み出すよう指示する。このイメージ読取順ＩＤ「２」の帳票は、帳票種類ＩＤが「１」である。
【００５２】
そこで制御部２０は、イメージ管理サーバ１４に対し、ディスク１５の項目表３４を読出すよう指示する。そして、記憶部２３に対し一旦これを記憶するよう指示する。そして制御部２０は、表示部２１に対し、イメージ読取順ＩＤ「２」のイメージ格納番号「ＣＤ−００２−００２」を帳票イメージ２として表示するよう指示する。帳票イメージ２のうちチェック項目は予め所定の色彩で表示される。
【００５３】
Ｓ３０２：クライアントＰＣ１７の制御部２０は、座標入力部２２に対し、オペレータが座標入力した座標を検知するよう指示する。
Ｓ３０３：制御部２０は、検知した入力座標を項目表３４の位置欄３６及びサイズ欄３７と比較し、該当するチェック項目名を判定する。
【００５４】
Ｓ３０４：制御部２０は、表示部２１に対し、チェック項目の中から項目チェック番号欄３８の「４」の「現住所」の表示について、チェック結果が「ＯＫ」なので項目への記入が確認されたとして、強調表示としての色彩を変更するよう指示する。制御部２０は、記憶部２３に対し、チェック結果を帳票チェック結果テーブル４３へ格納するよう指示する。
【００５５】
Ｓ３０５：制御部２０は、帳票チェック結果テーブル４３のチェック結果欄４４に「未」の項目があるかどうか判定する。あればステップ３０８へ移行し、なければ次へ進む。
Ｓ３０６：制御部２０は、座標入力部２２に対し、「次へ」ボタン８が押下されたかどうか監視するよう指示する。
Ｓ３０７：「次へ」ボタン８が押下された場合、制御部２０は図示しない次の処理へ移行する。
【００５６】
Ｓ３０８：ステップ３０５において、帳票チェック結果テーブル４３のチェック結果欄４４に「未」の項目がある場合、制御部２０は、座標入力部２２に対し、「次へ」ボタン８が押下されたかどうか判定するよう指示する。なければステップ３０２へ戻る。
Ｓ３０９：「未」の項目があるのにも拘らず「次へ」ボタン８が押下されたということであるので、制御部２０は、表示部２１に対し、エラーメッセージを表示するよう指示する。
【００５７】
以上、第３の実施の形態によれば、確認画面１にチェック項目欄３を設けず、オペレータがチェックしたときに、帳票イメージ２に表示した帳票の項目に対し、直接に強調表示としての色彩の変更をするようにしたので、オペレータにとって分かりやすい表示とすることができる。
【符号の説明】
【００５８】
１      確認画面
２      帳票イメージ
３      チェック項目欄
１０    帳票確認システム
１１    スキャナ              
１７    クライアントＰＣ
２０    制御部
２１    表示部
２２    座標入力部
【図１】
2014006847.tif 000003
【図２】
2014006847.tif 000004
【図３】
2014006847.tif 000005
【図４】
2014006847.tif 000006
【図５】
2014006847.tif 000007
【図６】
2014006847.tif 000008
【図７】
2014006847.tif 000009
【図８】
2014006847.tif 000010
【図９】
2014006847.tif 000011
【図１０】
2014006847.tif 000012
【図１１】
2014006847.tif 000013
【図１２】
2014006847.tif 000014
【図１３】
2014006847.tif 000015